(57)【特許請求の範囲】
【請求項１】
昇降開口部7 の非昇降口側端部にあたる通路の三角孔15に適合させて金属製の三角布板本体17を設け、該三角布板本体には、門形建枠1 の横架材8 と対峙する一辺に、その横架材8 へ係合させる一の係合金物18を、また、手摺枠5 の桁材9 と対峙する他の一辺に、その桁材9 へ係合させる他の係合金物19を設け、残るフリーの斜辺に、幅木20を立設したことを特徴とする枠組足場の昇降開口部用三角布板。
【請求項２】
上記他の係合金物19を、手摺枠5 の桁材9 に上方から載せ掛ける鉤形掛け金21とするとともに、該鉤形掛け金の先端に、隣接する布板2 の下縁で抑えられる抑止突片22を突設して成る請求項１記載の枠組足場の昇降開口部用三角布板。
【発明の詳細な説明】
【０００１】
【発明の属する技術分野】
本発明は、枠組足場の昇降開口部用三角布板に関するものである。
【０００２】
【従来の技術】
建造物、構造物に沿って仮設される作業用の枠組足場は、図１１乃至図１５に示すように、規格化された多数の門形建枠1 、布板2 、ブレース3 、少数の昇降桟橋4 、手摺枠5 、補助手摺6 等を組んで複数層に形成される。
この場合、布板2 は、各層において２〜３列に並置されるが、門形建枠1 の幅に合わせて、幅の狭い門形建枠には図１２、図１３のように、また、幅の広い門形建枠には図１４、図１５のように、それぞれ大幅、小幅のものが適宜に用いられる。
【０００３】
昇降桟橋4 は、上下層間の要所に配されるが、該要所では、上層部の一枚の布板2 を取り除いてここに昇降開口部7 を開口させ、図１１、図１２が示すように当該昇降桟橋4 の上端を、その昇降開口部7 の昇降口側端部に位置する門形建枠1 の横架材8 に係合させるとともに、下端を、その昇降開口部7 の非昇降口側端部下に位置する下層部の門形建枠1 の横架材8 に係合させることにより、昇降開口部7 の非昇降口側端部下方へ斜めに配設される。
【０００４】
その昇降開口部7 の一側、特に平行する布板2 との隣接部分には開口部からの転落防止用の手摺枠5 が配され、その昇降開口部7 の非昇降口側端部には転落防止用補助手摺6 が配される。
手摺枠5 は、桁材9 の一端部から位置的に偏りなく立設させた不偏手摺子10と他端部から中間部へ寄せて立設させた偏付手摺子11との間に手摺12を架設して成り、その桁材9 の両端を上記昇降開口部7 の両端に位置する各門形建枠1 の横架材8 に係合させることで横架材相互間に架け渡される。
なお、布板2 、昇降桟橋4 、桁材9 等の端部にはそれぞれ係合金物が設けられて、これらの係合金物が門形建枠1 の横架材8 に着脱自在に係合される。
【０００５】
補助手摺6 は、両端に設けられたクランプにより、一端が昇降開口部7 の非昇降口側端部に位置する上記門形建枠1 の脚柱13に、また、他端が上記偏付手摺子11に、各々取り外し自在に接合される。したがって、組み込まれた補助手摺6 は、図１２、図１４の通り、上方から見て昇降開口部の角部を残して傾斜状態に配されることとなる。このようにするのは、図１３、図１５に示すように、門形建枠1 では脚柱13の内側に補強材14が縦設させてあるため、この補強材を逃げる必要があるからである。
【０００６】
【発明が解決しようとする課題】
しかし、このように補強材14を逃げて補助手摺5 を設けると、昇降開口部7 の非昇降口側端部にあたる上記角部分には布板が存在しないため、図１２、図１４が示すように三角孔15が生じて、これが作業員の墜落事故や資材、工具等の落下、転落事故の原因となる危険性がある。
この通路の三角孔15をベニヤ板等で塞ぐことは可能であるが、強度不足による不慮の事故や段差による転倒事故等を生じる危険性があり、また、架け払しに手間がかかる等の問題点がある。
【０００７】
なお、従来の枠組足場では、実開昭59−190835号公報に開示された、通路のコーナー部分に扇状布板を配するものがあるが、この場合、通路の方向が変わる該通路のコーナー部分において、隣接する向きの異なる建枠（例えば９０度等）相互間にその扇状布板を架設するものであるため、上述の三角孔15には使用できない。
また、扇状の布板を用いるものとしては、他にも特開平11−247433号公報、特開平11−223013号公報に開示されたものがあるが、これらは方向が変わる通路のコーナー部分に係るものであるだけでなく、いわゆる単管足場の類に属するものであるから、これらとて上述の三角孔15には使用できない。
【０００８】
そこで、本発明は、昇降開口部7 の非昇降口側端部にあたる上記通路の三角孔15を塞ぐものとして、枠組足場専用の三角布板を提供しようとするものであり、もって、作業員の墜落事故や資材、工具等の落下、転落事故の危険性を除去するとともに、ベニヤ板等で塞ぐ場合のような強度不足による不慮の事故や段差による転倒事故等の危険性をなくし、併せて、架け払しが容易で手間がかからないものにしようとするものである。
【０００９】
【課題を解決するための手段】
上記目的達成のため、請求項1の発明は、上述の昇降開口部7 の非昇降口側端部にあたる通路の三角孔15に適合させて金属製の三角布板本体17を設け、該三角布板本体には、門形建枠1 の横架材8 と対峙する一辺に、その横架材8 へ係合させる一の係合金物18を、また、手摺枠5 の桁材9 と対峙する他の一辺に、該桁材9 へ係合させる他の係合金物19を設け、残るフリーの斜辺に、幅木20を立設して成る枠組足場の昇降開口部用三角布板16にある。
【００１０】
請求項２の発明は、かかる枠組足場の昇降開口部用三角布板16にあって、上記他の係合金物19を、手摺枠5 の桁材9 に上方から載せ掛ける鉤形掛け金21とするとともに、該鉤形掛け金の先端に、隣接する布板2 の下縁で抑えられる抑止突片22を突設して成る。
【００１１】
【発明の実施の形態】
図１乃至図５は、図１１乃至図１５に示す従来の枠組足場において、昇降開口部7 の端部にあたる上記通路の三角孔15に本発明に係る金属製の三角布板16を配した状態を示している。なお、図１乃至図５中の従来の枠組足場については、前述の図１１乃至図１５の説明をもって省略する。
【００１２】
三角布板16は、図１乃至図５に示すように、昇降開口部7 の非昇降口側端部にあたる上記通路の三角孔15に適合させて該三角孔15に対し着脱自在に形成している。つまり、図６乃至図９及び図１０に示すように、鋼製のデッキプレート等により上記通路の三角孔15に適合させて平面形状がほぼ直角三角形の三角布板本体17を設け、該三角布板本体には、直角をなす二辺のうち門形建枠1 の横架材8 と対峙する一辺に垂下片23を垂設して、該垂下片にその横架材8 へと係合させる左右一対の一の係合金物18を突設し、また、手摺枠5 の桁材9 と対峙する他の一辺にその桁材9 へと係合させる一片の他の係合金物19を突設しており、残るフリーの斜辺に幅木20を立設している。
【００１３】
左右一対の一の係合金物18は、図６乃至図９に示すように、上記垂下片23から上記横架材8 へと係合させるＣ形掛け金24を突設し、該Ｃ形掛け金の側面にはその横架材8 へと係合させて不意の離脱を阻止する止め金25を装着している。この止め金25は、方向を異にする２個の案内長孔27を有し、両案内長孔をＣ形掛け金24の側面から突出した２本のスタッド26に各々可動に嵌合させることにより上記横架材8 に対して係合離脱自在に設けている。
【００１４】
他の係合金物19は、図６乃至図９に示すように、鋼鈑等の金属片を折り曲げることで、上記桁材9 へと上方から載せ掛ける鉤形掛け金21に形成して、上記三角布板本体17の他の一辺から突出させており、また、該鉤形掛け金21の先端から隣接する布板2 の下縁で抑えられる抑止突片22を突出させている。
【００１５】
而して、三角布板16は、図１乃至図５、図１０に示すように、枠組足場において昇降開口部7 の非昇降口側端部にあたる上記通路の三角孔15に配し、そして、図６乃至図８、図１０に示すように、左右一対の一の係合金物18すなわちＣ形掛け金24及び止め金25を、その三角孔15に位置する門形建枠1 の横架材8 へと上方から係合させるとともに、一片の他の係合金物19すなわち鉤形掛け金21を、その三角孔15に位置する手摺枠5 の桁材9 へと上方から係合させ、かつ、該鉤形掛け金21から突出する抑止突片22を、隣接する布板2 の下縁で抑え込む。
こうして組み込まれた三角布板16は、その三角孔15部分に安定に保持されてその三角孔15を塞ぎ、三角孔15からの作業員の墜落及び資材、工具等の落下、転落を防止し、また、その三角布板16の斜辺から起立する幅木20は、三角布板16上を転がって昇降開口部7 内へそして昇降桟橋4 上へと落下する資材、工具等の転落を阻止する。
【００１６】
【発明の効果】
請求項１及び請求項２の発明によれば、昇降開口部7 の非昇降口側端部にあたる上記通路の三角孔15に適合させて金属製の三角布板本体17を設け、該三角布板本体の一辺に門形建枠1 の横架材8 へと係合させる一の係合金物18を、また、他の一辺に手摺枠5 の桁材9 へと係合させる他の係合金物19を設けているので、これらの係合金物18，19を上記横架材8 及び桁材9 に係合させることによって確実に枠組足場へと組み込むことができて、三角布板本体17によりその通路の三角孔15を的確に塞ぐことができ、したがって、三角孔15からの作業員の墜落事故や資材、工具等の落下、転落事故の危険性を除去でき、しかも、三角布板本体17のフリーの斜辺から幅木20を立設しているので、該幅木により資材、工具等が三角布板16上を転がって昇降開口部7 内へそして昇降桟橋4 上へと落下することを阻止できて、三角布板16上からの資材、工具等の転落事故の危険性もなくすことができ、更に、強度を十分に確保することができて、強度不足による不慮の事故の危険性を除去できる上、段差をなくすことができて、転倒事故等の危険性も除去することができる。加えて、各係合金物18，19は上記横架材8 及び桁材9 に対して簡単かつ容易に係合、離脱させることができて、架け払しに手間がかからず、工数を低減できる。
【００１７】
また、請求項２の発明によれば、他の係合金物19を手摺枠5 の桁材9 に上方から載せ掛ける鉤形掛け金21とし、該鉤形掛け金の先端に抑止突片22を突設して、該抑止突片を隣接する布板2 の下縁で抑えるようにしているので、当該他の係合金物19の構造を、狭いスペースに適した簡潔かつ適切なものにすることができるとともに、不意に外れることのない安定かつ安全なものにすることができる。
【図面の簡単な説明】
【図１】  本発明の実施の形態に係る枠組足場の昇降開口部用三角布板をその枠組足場に組み込んだ状態を示す枠組足場の要部の側面図である。
【図２】図１のＡ―Ａ断面図である。
【図３】図１のＢ―Ｂ断面図である。
【図４】図２を他の例で示す断面図である。
【図５】図３を他の例で示す断面図である。
【図６】本発明の実施の形態に係る枠組足場の昇降開口部用三角布板を示す拡大平面図である。
【図７】同三角布板を示す拡大正面図である。
【図８】同三角布板を示す拡大側面図である。
【図９】同三角布板を示す拡大斜視図である。
【図１０】同三角布板を枠組足場に組み込んだ状態を示す枠組足場の要部の拡大斜視図である。
【図１１】従来の枠組足場の要部を示す側面図である。
【図１２】図１１のＡ―Ａ断面図である。
【図１３】図１１のＢ―Ｂ断面図である。
【図１４】図１２を他の例で示す断面図である。
【図１５】図１３を他の例で示す断面図である。
【符号の説明】
1…門形建枠                   2…布板
3…ブレース                   4…昇降桟橋
5…手摺枠                     6…補助手摺
7…昇降開口部                 8…横架材
9…桁材                      10…不偏手摺子
11…偏付手摺子                12…手摺
13…脚柱                      14…補強材
15…三角孔                    16…三角布板
17…三角布板本体              18…一の係合金物
19…他の係合金物              20…幅木
21…鉤形掛け金                22…抑止突片
23…垂下片                    24…Ｃ形掛け金
25…止め金                    26…スタッド
27…案内長孔
【図１】
0003970504.tif 000002
【図２】
0003970504.tif 000003
【図３】
0003970504.tif 000004
【図４】
0003970504.tif 000005
【図５】
0003970504.tif 000006
【図６】
0003970504.tif 000007
【図７】
0003970504.tif 000008
【図８】
0003970504.tif 000009
【図９】
0003970504.tif 000010
【図１０】
0003970504.tif 000011
【図１１】
0003970504.tif 000012
【図１２】
0003970504.tif 000013
【図１３】
0003970504.tif 000014
【図１４】
0003970504.tif 000015
【図１５】
0003970504.tif 000016